(57)【要約】  本発明は、肌診断器が備えられた化粧品ディスペンサーに関し、より詳細には、診断された皮膚状態に応じて適合の化粧品を選択するか組み合わせて適正量の化粧品を利用できるようにするだけでなく、肌診断や化粧品利用に関する情報を体系的に管理できるようにする化粧品ディスペンサーに関する。  本発明による化粧品ディスペンサーは、診断された皮膚の状態に応じて化粧品を排出する化粧品ディスペンサーにおいて、上方に開口されたマガジン装着部が形成され、前記マガジン装着部の下部にこの排出空間が形成され、前記マガジン装着部から前記排出空間につながる排出ホールが形成された本体と、複数のカートリッジ収容部が円形に配列されて形成され、前記マガジン装着部に回転可能に装着されるカートリッジマガジンと、内部に化粧品が充填され、下部に形成された排出口から化粧品が排出されるようにするポンプ手段を有し、前記排出口が下部に向かって立てられて前記カートリッジ収容部のそれぞれに装着される複数のカートリッジと、前記カートリッジマガジンを回転させるように前記本体に備えられたマガジン回転駆動手段と、前記複数のカートリッジのうち１つの排出口が前記排出ホールに位置された状態で前記カートリッジの上端を押圧して前記カートリッジに備えられたポンプ手段を作動させるように前記本体に備えられたポンプ加圧駆動手段と、診断された皮膚状態に応じて複数のカートリッジのうち少なくとも１つ以上の化粧品が排出されるように前記マガジン回転駆動手段と前記ポンプ加圧駆動手段の作動を制御するための制御手段とを含んで構成されることを特徴とする。
2021527457.tif 000002
【特許請求の範囲】
【請求項１】
診断された皮膚状態に応じて化粧品を排出する化粧品ディスペンサーにおいて、
上方に開口したマガジン装着部が形成され、前記マガジン装着部の下部にこの排出空間が形成され、前記マガジン装着部から前記排出空間につながる排出ホールが形成された本体と、
複数のカートリッジ収容部が円形に配列されて形成され、前記マガジン装着部に回転可能に装着されるカートリッジマガジンと、
内部に化粧品が充填され、下部に形成された排出口から化粧品が排出されるようにするポンプ手段を有し、前記排出口が下部に向かって立てられて前記カートリッジ収容部のそれぞれに装着される複数のカートリッジと、
前記カートリッジマガジンを回転させるように前記本体に備えられたマガジン回転駆動手段と、
前記複数のカートリッジのうちの１つの排出口が前記排出ホールに位置された状態で前記カートリッジの上端を押圧して前記カートリッジに備えられたポンプ手段を作動させるように前記本体に備えられたポンプ加圧駆動手段と、
診断された皮膚状態に応じて複数のカートリッジのうち少なくとも１つ以上の化粧品が排出されるように前記マガジン回転駆動手段と前記ポンプ加圧駆動手段の作動を制御するための制御手段と、を含むことを特徴とする肌診断器が備えられた化粧品ディスペンサー。
【請求項２】
前記複数のカートリッジのうちのいずれか１つを認識するためのカートリッジ認識手段が備えられ、
前記制御手段は、化粧品を排出しようとするカートリッジの排出口が前記排出ホールに位置するように前記マガジン回転駆動手段の作動を制御することを特徴とする請求項１に記載の肌診断器が備えられた化粧品ディスペンサー。
【請求項３】
前記カートリッジ認識手段は、前記カートリッジのそれぞれに対応するように前記カートリッジマガジンに形成されたインデックスを認識するインデックス認識センサを備えて構成されることを特徴とする請求項２に記載の肌診断器が備えられた化粧品ディスペンサー。
【請求項４】
前記インデックスは、前記カートリッジのそれぞれに対応するようにそれぞれ異なる長さを有して形成されて前記カートリッジマガジンの下部縁に沿って一周して配置され、
前記インデックス認識センサは、インデックスの長さを感知してその長さに対応するカートリッジを認識することを特徴とする請求項３に記載の肌診断器が備えられた化粧品ディスペンサー。
【請求項５】
前記マガジン装着部の中央には軸柱が上方に延長するように形成され、
前記カートリッジマガジンの下部中央には前記軸柱が挿入される柱挿入孔が形成され、
前記カートリッジマガジンは前記軸柱が前記柱挿入孔に挿入されて回転可能に前記マガジン装着部に装着されることを特徴とする請求項１ないし請求項４のいずれか１項に記載の肌診断器が備えられた化粧品ディスペンサー。
【請求項６】
前記マガジン回転駆動手段は、前記軸柱の内部に装着されたマガジン駆動モータと、前記マガジン駆動モータの回転軸の回転力を前記カートリッジマガジンに伝達するための少なくとも１つ以上のギヤとを備えて構成されることを特徴とする請求項５に記載の肌診断器が備えられた化粧品ディスペンサー。
【請求項７】
前記ポンプ加圧駆動手段は、前記ポンプ駆動モータと、前記ポンプ駆動モータの回転軸の回転により回転されて前記カートリッジの上端に接触して押圧するポンプカムとを備えて構成されることを特徴とする請求項１ないし請求項４のいずれか１項に記載の肌診断器が備えられた化粧品ディスペンサー。
【発明の詳細な説明】
【技術分野】
【０００１】
本発明は、肌診断器が備えられた化粧品ディスペンサーに関し、より詳細には、診断された皮膚状態に応じて適合する化粧品を選択するか組み合わせて適正量の化粧品を利用できるようにするだけでなく、肌診断や化粧品利用に関する情報を体系的に管理できるようにする化粧品ディスペンサーに関する。
【背景技術】
【０００２】
一般的に、人々の肌はその状態が様々であり、特に、化粧をする人々は、自分の肌の状態に合う化粧品を使用しないと、健康で美しい肌を維持することができない。
【０００３】
従って、化粧品を使用する人々は自分の肌の状態に合う化粧品を使用したいと思い、このような必要性の増加により最近は肌の状態を測定及び診断する肌診断器に対する関心が増えている。特に、最近は、大韓民国登録特許第１０−１７３８９４５号（２０１７年５月１７日、肌測定センサを備えた化粧品使用ガイドシステム）のように肌の状態を測定して適合の化粧品を推薦又は処方するか、大韓民国公開特許第１０−２０１７−０１０８５４２号（２０１７年９月２７日、スマートモバイル機器を利用して有線方式で肌を測定できるように肌診断器が取り外し可能に結合された化粧品）のように肌診断器が化粧品と一体として利用できるようにする技術が利用されている。
【０００４】
しかしながら、前記肌診断器は、ただ皮膚の状態を診断して皮膚の状態に関する情報又は適切な化粧品に関する情報を使用者に提供するだけであるため、使用者は依然として診断された情報や提供された化粧品の使用量や使用周期などを自分が判断して化粧品を利用するので、依然として適切な化粧品使用による効果を期待するには限界がある。
【０００５】
特に、化粧品は、乾性、脂性、中性の他に、悪乾性、悪脂性などのように人によって異なる肌状態だけでなく、同一の人でも季節、その時その時の肌状態又は老化程度による肌タイプの変化などに応じて適切に使用されることが好ましいが、前記のような肌診断器により提供される肌状態や適切な化粧品に関する情報だけでは使用者が本人の肌改善に能動的に対応することが難しいという問題点を有する。
【０００６】
このような問題点を解決するために、大韓民国登録特許第１０−１７７８４３７号（２０１７年９月７日、肌測定器を含む化粧品ディスペンサー）には、肌診断器を備え、その肌診断器により測定された皮膚状態に応じて適切な化粧品を吐出するようにする化粧品ディスペンサーに関する装置が提案された。
【０００７】
しかしながら、前記肌測定器を含む化粧品ディスペンサーの場合、化粧品の吐出のために複数の化粧品容器のそれぞれを加圧するように構成されているため、構造が複雑であり、それぞれの化粧品の使用量や残量に関する情報の管理が行われていないため、使用者の化粧品使用に対する管理が適切に行われない限界を依然として有する。
【先行技術文献】
【特許文献】
【０００８】
【特許文献１】大韓民国登録特許第１０−１７３８９４５号（２０１７年５月１７日）：肌測定センサを備えた化粧品使用ガイドシステム
【特許文献２】大韓民国公開特許第１０−２０１７−０１０８５４２号（２０１７年９月２７日）：スマートモバイル機器を利用して有線方式で肌を測定できるように肌診断器が取り外し可能に結合された化粧品
【特許文献３】大韓民国登録特許第１０−１７７８４３７号（２０１７年９月７日）：肌測定器を含む化粧品ディスペンサー
【発明の概要】
【発明が解決しようとする課題】
【０００９】
本発明は、前記のような点を認識して案出されたものであり、本発明の目的は、診断された肌の状態に応じて適合の化粧品を選択するか組み合わせて適正量の化粧品を利用できるようにするだけでなく、肌診断や化粧品利用に関する情報を体系的に管理できるようにする化粧品ディスペンサーを提供することにある。
【課題を解決するための手段】
【００１０】
前述したような目的を達成するために、本発明による化粧品ディスペンサーは、診断された肌の状態に応じて化粧品を排出する化粧品ディスペンサーにおいて、上方に開口されたマガジン装着部が形成され、前記マガジン装着部の下部にこの排出空間が形成され、前記マガジン装着部から前記排出空間につながる排出ホールが形成された本体と、複数のカートリッジ収容部が円形に配列されて形成され、前記マガジン装着部に回転可能に装着されるカートリッジマガジンと、内部に化粧品が入っていて、下部に形成された排出口から化粧品が排出されるようにするポンプ手段を有し、前記排出口が下部に向かって立てられて前記カートリッジ収容部のそれぞれに装着される複数のカートリッジと、前記カートリッジマガジンを回転させるように前記本体に備えられたマガジン回転駆動手段と、前記複数のカートリッジのうち１つの排出口が前記排出ホールに位置した状態で前記カートリッジの上端を押圧して前記カートリッジに備えられたポンプ手段を作動させるように前記本体に備えられたポンプ加圧駆動手段と、診断された皮膚状態に応じて複数のカートリッジのうち少なくとも１つ以上の化粧品が排出されるように前記マガジン回転駆動手段と前記ポンプ加圧駆動手段の作動を制御するための制御手段とを含んで構成されることを特徴とする。
【００１１】
また、本発明による肌診断器が備えられた化粧品ディスペンサーは、前記複数のカートリッジのうちのいずれか１つを認識するためのカートリッジ認識手段を備え、前記制御手段は、化粧品を排出しようとするカートリッジの排出口が前記排出ホールに位置するように前記マガジン回転駆動手段の作動を制御することを特徴とする。
【００１２】
また、本発明による肌診断器が備えられた化粧品ディスペンサーにおいて、前記カートリッジ認識手段は、前記カートリッジのそれぞれに対応するように前記カートリッジマガジンに形成されたインデックスを認識するインデックス認識センサを備えることを特徴とする。
【００１３】
また、本発明による肌診断器が備えられた化粧品ディスペンサーにおいて、前記インデックスは、前記カートリッジのそれぞれに対応するようにそれぞれ異なる長さを有して形成されて、前記カートリッジマガジンの下部縁に沿って一周して配置され、前記インデックス認識センサは、インデックスの長さを感知してその長さに対応するカートリッジを認識することを特徴とする。
【００１４】
また、本発明による肌診断器が備えられた化粧品ディスペンサーにおいて、前記マガジン装着部の中央には軸柱が上方に延長するように形成され、前記カートリッジマガジンの下部中央には前記軸柱が挿入される柱挿入孔が形成され、前記カートリッジマガジンは、前記軸柱が前記柱挿入孔に挿入されて回転可能に前記マガジン装着部に装着されることを特徴とする。
【００１５】
また、本発明による肌診断器が備えられた化粧品ディスペンサーにおいて、前記マガジン回転駆動手段は、前記軸柱の内部に装着されたマガジン駆動モータと、前記マガジン駆動モータの回転軸の回転力を前記カートリッジマガジンに伝達するように備えられた少なくとも１つ以上のギヤとを備えて構成されることを特徴とする。
【００１６】
また、本発明による肌診断器が備えられた化粧品ディスペンサーにおいて、前記ポンプ加圧駆動手段は、前記ポンプ駆動モータと、前記ポンプ駆動モータの回転軸の回転により回転されて前記カートリッジの上端に接触して押圧するポンプカムとを備えて構成されることを特徴とする。
【発明の効果】
【００１７】
前記のような構成により、本発明による化粧品ディスペンサーは、診断された肌の状態に応じて適合の化粧品を選択するか組み合わせて適正量の化粧品を利用できるようにするだけでなく、肌診断や化粧品利用に関する情報を体系的に管理できるようにする長所を有する。
【図面の簡単な説明】
【００１８】
【図１】本発明の一実施例による化粧品ディスペンサーの構成を示す図である。
【図２】本発明の一実施例による化粧品ディスペンサーを示す斜視図である。
【図３】本発明の一実施例による化粧品ディスペンサーを示す分解斜視図である。
【図４ａ】本発明の一実施例による化粧品ディスペンサーを分解して示す斜視図である。
【図４ｂ】同上。
【図５】本発明の一実施例による化粧品ディスペンサーを示す断面図である。
【図６】本発明の一実施例による化粧品ディスペンサーのカートリッジ及びその作動を示す断面図である。
【図７ａ】本発明の一実施例による化粧品ディスペンサーにおいて、マガジン装着部、カートリッジマガジン及びマガジン回転駆動手段を分解して概念的に示す斜視図である。
【図７ｂ】同上。
【図８】本発明の一実施例による化粧品ディスペンサーの内部構造を概念的に示す平面図である。
【図９】本発明の一実施例による化粧品ディスペンサーにおいて、カートリッジマガジンに形成されたインデックス枠を展開して示す展開図である。
【図１０】本発明の一実施例による化粧品ディスペンサーの制御構成を示すブロック図である。
【図１１】本発明の一実施例による化粧品ディスペンサーの作動を示すフローチャートである。
【発明を実施するための形態】
【００１９】
以下、図面及び実施例を参照して本発明による化粧品ディスペンサーをより詳細に説明する。
【００２０】
図１は、本発明の一実施例による化粧品ディスペンサーの構成を示す図であり、図２は、本発明の一実施例による化粧品ディスペンサーを示す斜視図であり、図３は、本発明の一実施例による化粧品ディスペンサーを示す分解斜視図であり、図４ａ及び図４ｂは、本発明の一実施例による化粧品ディスペンサーを分解して示す斜視図であり、図５は、本発明の一実施例による化粧品ディスペンサーを示す断面図であり、図６は、本発明の一実施例による化粧品ディスペンサーのカートリッジ及びその作動を示す断面図であり、図７ａ及び図７ｂは、本発明の一実施例による化粧品ディスペンサーにおいて、マガジン装着部、カートリッジマガジン及びマガジン回転駆動手段を分解して概念的に示す斜視図であり、図８は、本発明の一実施例による化粧品ディスペンサーの内部構造を概念的に示す平面図であり、図９は、本発明の一実施例による化粧品ディスペンサーにおいて、カートリッジマガジンに形成されたインデックス枠を展開して示す展開図であり、図１０は、本発明の一実施例による化粧品ディスペンサーの制御構成を示すブロック図であり、図１１は、本発明の一実施例による化粧品ディスペンサーの作動を示すフローチャートである。
【００２１】
本発明による化粧品ディスペンサー１は、肌診断器２により測定されて診断された皮膚状態情報や、使用者端末機３及び管理サーバ４により算出されるか又は格納された皮膚状態に関する情報に応じて適切な化粧品を選択して適切な量が排出されるようにすることを特徴とする。
【００２２】
前記化粧品ディスペンサー１は、複数の種類の化粧品がそれぞれ入っている複数のカートリッジ３０内の化粧品を使用者の手やその他の容器の上に排出するための装置である。
【００２３】
図面を参照すると、前記化粧品ディスペンサー１は、本体１０、カートリッジマガジン２０、カートリッジ３０、マガジン回転駆動手段４０、ポンプ加圧駆動手段５０、カートリッジ認識手段６０、手認識手段７０、冷却手段８０及びタッチスクリーン９０を含んで構成される。
【００２４】
前記本体１０は、カートリッジマガジン２０、マガジン回転駆動手段４０及びポンプ加圧駆動手段５０などが内部に収容されて装着される空間を形成するための構成であって、底面に立てられるボディ１１と、前記ボディ１１の上部入口を開閉するカバー１２とから構成される。前記ボディ１１には、前記マガジン２０が装着されるためのマガジン装着部１３が形成され、前記マガジン装着部１３の下の位置には前記カートリッジ３０から排出される化粧品を受け取るために使用者の手やその他の容器を入れることができるように前後方に開放された排出空間１４が形成される。
【００２５】
図面を参照すると、前記ボディ１１の上部は上方に開口され、その開口された内部に前記マガジン装着部１３が円柱形状の容器状に形成される。前記ボディ１１の上部入口縁の後端には、前記カバー１２のヒンジ部１２２がヒンジ連結されるためのヒンジ部１１１が形成され、前記ボディ１１の上部入口縁の前端には前記カバー１２に備えられたロッカー１２２が結合及び解除されるようにするためのプッシュボタン１１２が備えられる。
【００２６】
前記カバー１２は、前記ボディ１１の上部入口をカバーし、開閉するための構成である。図面を参照すると、前記カバー１２は円盤形状に形成されて後方端部に形成されたヒンジ部１２２が前記ボディ１１のヒンジ部１１１にヒンジで結合されてそのヒンジ連結地点を中心に前方が持ち上げられるか下げられる方向に回動される。前記カバー１２が前記ボディ１１の入口を塞ぐように閉じた状態で、そのカバー１２の前方端部が前記ボディ１１に結合されるように、前記カバー１２の前方端部には、前記ボディ１１の上部入口前端に結合され、前記プッシュボタン１１２によりその結合が解除されるロッカー１２２が備えられる。
【００２７】
前記カバー１２の内部には、前記マガジン装着部１３に装着されたカートリッジ３０を押して加圧するためのポンプ加圧駆動手段５０が装着されるが、これは後述する。
【００２８】
前記マガジン装着部１３は、カートリッジ３０が装着されたカートリッジマガジン２０が回転可能に装着されるための構成である。図面を参照すると、前記マガジン装着部１３は、前記ボディ１１と一体に形成されるが、前記ボディ１１の上部入口とともに上方に開口した入口を有し、円柱形状の深さを有する容器状に下方に延長された構造を有する。前記のように前記マガジン装着部１３が円柱形状の容器状に形成されるため、円柱形状に形成された前記カートリッジマガジン２０は前記マガジン装着部１３に挿入装着されて回転可能になる。
【００２９】
前記マガジン装着部１３の内部には、中央の位置において前記カートリッジマガジン２０が回転支持されるための軸柱１３１が上方に突出形成される。図面を参照すると、前記軸柱１３１は前記マガジン装着部１３の中央の位置から上方に延設され、その軸柱１３１は前記マガジン装着部１３に挿入されて装着されるカートリッジマガジン２０の下部中央の位置に形成された柱挿入孔２２に挿入される。前記軸柱１３１の上端には、前記カートリッジマガジン２０の柱挿入孔２２の内部上端に備えられた軸支持溝２４１に挿入されて前記カートリッジマガジン２０が中心から離脱しないように支持するための軸突起１３１ａが上方に突出形成される。
【００３０】
前記マガジン装着部１３の内部に回転可能に装着されたカートリッジマガジン２０を回転駆動させるためのマガジン回転駆動手段４０が前記本体１０に備えられるが、図面に図示された実施例においては、前記マガジン回転駆動手段４０を構成するマガジン駆動モータ４１が前記軸柱１３１の内部に収容されて装着された構造を有する。
【００３１】
前記マガジン装着部１３の下部には排出空間１４が形成されるが、前記マガジン装着部１３に装着されたカートリッジマガジン２０に収容されたカートリッジ３０から排出される化粧品が前記排出空間１４に落下するように前記マガジン装着部１３の下部底面には前記排出空間１４につながる排出ホール１３２が形成される。
【００３２】
前記排出空間１４は、前記マガジン装着部１３に装着されたカートリッジマガジン２０に収容されたカートリッジ３０から押出されて排出される化粧品を使用者が手やその他の容器で受け取ることができるように、手や当該容器を入れる空間である。図面を参照すると、前記排出空間１４は、前記マガジン装着部１３の下部に位置して前記ボディ１１の前後方に開放されて前方入口から内部に使用者が手を入れることができるように形成される。使用者が前記排出空間１４に手や容器を入れると、後述する手認識手段７０により手や容器が前記排出空間１４の内部に入って前記カートリッジ３０から排出されて前記排出空間１４に落下する化粧品を受け取ることができる状態であると認識される。
【００３３】
図面には、前記排出空間１４の下部底面に機器の動作状態や使用者の確認が必要な情報を表示し、使用者がタッチして必要な命令や情報が入力できるタッチスクリーン９２が備えられた実施例が示されている。
【００３４】
前記カートリッジマガジン２０は、化粧品が収容された複数のカートリッジ３０が装着されて使用者が入力した命令や診断された皮膚状態に応じて選択された化粧品が排出されるように前記マガジン装着部１３に回転可能に装着される構成である。
【００３５】
図面を参照すると、前記カートリッジマガジン２０は、前記マガジン装着部１３に挿入されて回転可能に円柱形状に形成されたドラム２１を備える。前記ドラム２１の下部には、中央の位置において前記軸柱１３１が挿入されるための柱挿入孔２２が形成される。また、前記ドラム２１にはカートリッジ３０が挿入されて収容されるための複数のカートリッジ収容部２３が形成される。図面を参照すると、前記カートリッジ収容部２３は、それぞれの入口が前記ドラム２１の上部に形成された孔形状に形成されて、複数が前記ドラム２１の縁に沿って環状に配列される。前記ドラム２１の回転（Ｒ）により、前記カートリッジ収容部２３に挿入されて収容されたカートリッジ３０は、その排出口３２が前記マガジン装着部１３の底面に形成された排出ホール１３２に合わせられるように移動される。前記カートリッジマガジン２０を前記マガジン装着部１３に挿入及び取り出しのときに使用者が手で容易につかむことができるように前記ドラム２１の上部中央において前記柱挿入孔２２の上端部が塞がれた位置に把持環２４が形成される。前記把持環２４が形成された部分において前記柱挿入孔２２の内部天井には、前記軸柱１３１の上端に形成された軸突起１３１ａが挿入される軸支持溝２４１が凹み形成される。
【００３６】
一方、前記カートリッジマガジン２０は、前述したようにマガジン回転駆動手段４０により回転されるが、前記軸柱１３１の内部に収容されて装着されたマガジン駆動モータ４１の回転力を伝達するための電動ギヤ４２が歯合する従動ギヤ２５が、前記柱挿入孔２２の下部入口の周辺を囲むように形成される。
【００３７】
前記カートリッジマガジン２０には様々な化粧品Ｃが入っている複数のカートリッジ３０が装着されるが、本発明は、複数のカートリッジ３０のうち使用者の入力又は診断された皮膚の状態に応じて特定のカートリッジ３０に入っている化粧品Ｃが排出されるように、前記カートリッジマガジン２０が回転されて、選択されたカートリッジ３０の排出口３２が排出ホール１３２に合わされる位置に移動されるように制御される。そのためには、複数のカートリッジ３０が区別されなければならず、区別されたカートリッジ３０を定位置で停止させる制御が要求される。このような制御のために、本発明はカートリッジ認識手段６０を備える。図面には、前記カートリッジ認識手段６０のインデックス認識センサ６１が前記カートリッジマガジン２０に設けられたインデックスを認識してカートリッジ３０を認識するように構成された実施例が示されている。前記カートリッジマガジン２０を下方から見て示した図７ｂ及びカートリッジマガジン２０が本体１０に装着された状態を示した図８を参照すると、前記カートリッジマガジン２０のドラム２１の下部底面には縁部に沿って環形の帯状を有するインデックス枠２６が形成され、そのインデックス枠２６に複数のカートリッジ３０に対応するように複数のインデックス２６１ａないし２６５ｂが異なる幅を有する溝状に形成された構造を有する。図９は、前記環形のインデックス枠２６を広げた形態を示した展開図であり、これを参照すると、前記複数のインデックス２６１ａないし２６５ｂは、５つのカートリッジ３０に対応するように５つの認識インデックス２６１ａ、２６２ａ、２６３ａ、２６４ａ、２６５ａと停止インデックス２６１ｂ、２６２ｂ、２６３ｂ、２６４ｂ、２６５ｂとが対に形成される。前記５つの認識インデックス２６１ａ、２６２ａ、２６３ａ、２６４ａ、２６５ａは、５つのカートリッジ３０のそれぞれに対応し、異なる長さを有して形成されて前記インデックス認識センサ６１がその長さの差を感知して、該当するカートリッジ３０を認識するように構成される。図９を参照すると、前記認識インデックス２６１ａ、２６２ａ、２６３ａ、２６４ａ、２６５ａは右から左に長さが長くなるように形成され、例えば、最短である右側の認識インデックス２６１ａを１番に割り当て、最長である左側の認識インデックス２６５ａを５番に割り当てて順番に１番〜５番まで定めることにより当該カートリッジ３０を認識できるようになる。一方、前記カートリッジマガジン２０が一方に回転（Ｒ）しながら前記インデックス認識センサ６１により異なる幅を有する前記認識インデックス２６１ａ、２６２ａ、２６３ａ、２６４ａ、２６５ａをセンシングして特定カートリッジ３０を認識し、認識された当該カートリッジ３０の排出口３２が排出ホール１３２に合わされる位置に当該カートリッジ３０が位置するように、前記インデックス認識センサ６１により前記停止インデックス２６１ｂ、２６２ｂ、２６３ｂ、２６４ｂ、２６５ｂがセンシングされる位置に前記カートリッジマガジン２０が停止するように前記制御手段９０によりマガジン回転駆動手段４０の作動が制御される。図９は、カートリッジマガジン２０が一方に回転（Ｒ）することにより、インデックス認識センサ６１が２番の認識インデックス２６２ａを通りながらこれを認識し、直ちにインデックス認識センサ６１が２番の停止インデックス２６２ｂを認識する瞬間にカートリッジマガジン２０が停止した状態を示す図である。
【００３８】
前記カートリッジ３０は、内部に化粧品Ｃが充填された状態で前記カートリッジマガジン２０に装着されて、前記ポンプ加圧駆動手段５０の作動により内部に入っている化粧品Ｃを排出口３２に排出するための構成である。
【００３９】
図面を参照すると、前記カートリッジ３０は、全体としてシリンジ形態を有し、下部に排出口３２が下方に突出するように形成され、前記排出口３２から化粧品Ｃが排出されるようにするポンプ手段３３を備える。前記カートリッジ３０の断面を示した図６を参照すると、前記カートリッジ３０は、化粧品Ｃが充填される容器３１と、前記容器３１の下部に下方に突出して形成された排出口３２と、前記容器３１と排出口３２との間に位置し、前記容器３１の内部に充填されている化粧品Ｃが前記排出口３２に排出されるようにポンプするポンプ手段３３とを備える。図面を参照すると、前記ポンプ手段３３は、排出口３２が形成されたピストン３３１が前記容器３１の下部に長さ方向に相対的に移動可能に連結されて全体として伸縮するように構成され、前記ピストン３３１が容器３１から伸長する方向に弾性を加えるばね３３２を有する。前記のように構成されたカートリッジ３０は、前記カートリッジマガジン２０のカートリッジ収容部２３に該当する孔に挿入されて前記排出口３２が下部に向かって立てられるように前記カートリッジ収容部２３に装着される。前記のようにカートリッジ収容部２３に挿入されて前記カートリッジマガジン２０に装着されたカートリッジ３０の上端に所定の力（Ｆ１）を加えて前記カートリッジ３０を下方に押下すると、前記カートリッジ３０の容器３１が下方（Ｍ）に移動しながら前記ピストン３３１が収縮し、それにより前記容器３１の内部に充填された化粧品Ｃが排出口３２に排出される。また、前記カートリッジ３０を押す力（Ｆ１）が除去されると、前記ばね３３２の弾性により前記容器３１が上方（Ｍ）に移動されることにより、前記カートリッジ３０は元の状態に復帰する。前記カートリッジ３０のポンプ手段３３の作動のために前記カートリッジ３０の上端に加えられる外力（Ｆ１）は前記ポンプ加圧駆動手段４０により行われる。図面を参照すると、前記ポンプ加圧駆動手段４１のポンプ駆動モータ５１の回転によりポンプカム５２が回転しながら前記カートリッジ３０の上端を押圧する力（Ｆ１）が加えられてから除去されることが繰り返される。
【００４０】
前記マガジン回転駆動手段４０は、カートリッジ装着部１３に装着されたカートリッジマガジン２０を回転させるように前記本体１０に備えられた構成である。図面を参照すると、前記マガジン回転駆動手段４０は、前記マガジン装着部１３の中央に鉛直に立てられた軸柱１３１の内部に装着されたマガジン駆動モータ４１と、前記マガジン駆動モータ４１の回転軸４１１の回転力を前記カートリッジマガジン３０に形成された従動ギヤ２５に伝達するようにその従動ギヤ２５に歯合するように備えられた電動ギヤ４２とを備える。前記マガジン駆動モータ４１は、その回転軸４１１が前記軸柱１３１の下部入口に位置されるように前記軸柱１３１の内部に収容されるように装着され、その回転軸４１１に連結された電動ギヤ４２は前記カートリッジマガジン２０の柱挿入孔２２の下部入口の周辺を囲むように形成された従動ギヤ２５と歯合され、前記マガジン駆動モータ４１の駆動により、前記カートリッジマガジン２０は前記軸柱１３１を中心に回転される。
【００４１】
前記ポンプ加圧駆動手段５０は、前記複数のカートリッジ３０のうち１つの排出口３２が前記排出ホール１３２に位置した状態でそのカートリッジ３０の上端を押圧して前記カートリッジ３０に備えられたポンプ手段３３を作動させるための構成である。前記カートリッジマガジン２０が前記マガジン装着部１３に装着されて前記ボディ１１の内部に位置されたカートリッジ３０の上部に前記ポンプ加圧駆動手段４１が位置するように、前記ポンプ加圧駆動手段４１は前記ボディ１１の上部入口を開閉しながら前記カートリッジ３０の上部に位置するカバー１２に装着される。図面を参照すると、前記ポンプ加圧駆動手段５０は、前記カバー１２の内部に装着されたポンプ駆動モータ５１と、前記ポンプ駆動モータ５１の回転により回転しながら偏心した一部分が前記カートリッジ３０の上端に接触して押圧するか、前記カートリッジ３０の上端から離れるポンプカム５２とを備えて構成される。前記のように構成されたポンプ加圧駆動手段５０は、ポンプ駆動モータ５１の回転によりポンプカム５２が回転されて前記カートリッジ３０の上端を押圧する力（Ｆ１）が加えられてから除去されることが繰り返される。
【００４２】
一方、前記ポンプ加圧駆動手段５０は、ポンプカム５２の回転により前記カートリッジ３０が押される距離は一定であり、それにより、前記ポンプカム５２の一回転により前記カートリッジ３０から排出される化粧品Ｃの量は一定である。従って、本発明は、前記カートリッジ３０のそれぞれに対して前記ポンプ加圧駆動手段５０の作動回数をカウントすることにより、各カートリッジ３０から排出された化粧品Ｃの量を算出することが可能となり、結果的に、当該カートリッジ３０から排出されて残った化粧品Ｃの量を算出することが可能となる。前記のようにカートリッジ３０から排出される化粧品Ｃの量を算出できるように、前記ポンプ加圧駆動手段５０には前記ポンプカム５２の回転と共に回転されるカム駆動カウントディスク５３が備えられ、カム駆動カウントセンサ５４により前記カム駆動カウントディスク５３の回転数を感知するように構成される。前記カム駆動カウントセンサ５４は、リミットスイッチや光センサなどで構成されてもよい。
【００４３】
前記カートリッジ認識手段６０は、前記カートリッジマガジン２０に装着された複数のカートリッジのうち化粧品を排出しようとするいずれか１つのカートリッジ３０を認識するための構成である。前述したように、前記カートリッジマガジン２０には異なる種類の化粧品Ｃが入った複数のカートリッジ３０が装着されるが、本発明は、複数のカートリッジ３０のうち使用者の入力又は診断された皮膚の状態に応じて特定のカートリッジ３０に入った化粧品Ｃが排出されるように、選択された特定のカートリッジ３０を化粧品が排出される定位置に停止させる制御が要求される。このために、本発明は、前記カートリッジマガジン２０にカートリッジ３０に対応するインデックス２６１ａないし２６５ｂを設け、そのインデックス２６１ａないし２６５ｂを前記カートリッジ認識手段６０のインデックス認識センサ６１が認識することにより当該カートリッジ３０を認識するように構成される。前記インデックス２６１ａないし２６５ｂに関する構成はカートリッジマガジン２０の説明において前述した。前記インデックス２６１ａないし２６５ｂを認識する前記インデックス認識センサ６１は、溝形状のインデックス２６１ａないし２６５ｂを検出する光センサで構成されてもよい。
【００４４】
前記手感知センサ７１は、使用者が手やその他の容器を化粧品が落下する排出空間１４に位置させる場合にのみ、前記ポンプ加圧駆動手段５０が作動して前記カートリッジ３０から化粧品が排出されるようにするための構成である。図面を参照すると、前記手感知センサ７１は、使用者の手が排出空間１４の内部に入っていることを感知できるように、前記マガジン装着部１３の底面に光センサを設置して構成される。
【００４５】
前記冷却手段８０は、前記カートリッジマガジン２０に装着されて前記ボディ１１の内部に収容されたカートリッジ３０の内部に入っている化粧品Ｃが変質しないように冷却するための構成である。図面を参照すると、前記冷却手段８０は、前記カートリッジ装着部１３の後方側部に取り付けられた熱電素子８１と、前記熱電素子８１の発熱部側に取り付けられてそれから放出された熱を空気中に放熱するための放熱ピン８２とを備えて構成される。
【００４６】
前記制御手段９０は、マガジン回転駆動手段４０、ポンプ加圧駆動手段５０及び冷却手段８０の作動を制御するための構成である。前記制御手段９０による制御は、使用者が手動で入力した命令やデータに従って行うことができるだけでなく、前記制御手段９０は、前記肌診断器２により測定されて診断された皮膚状態に応じた情報、使用者端末機３から送信されたデータや命令、前記管理サーバ４から送信されたデータや命令などに従って制御を行うことができるように構成される。
【００４７】
このような制御のために、前記制御手段９０は、演算、データの格納及び外部機器との通信などのための回路が形成された回路基板９１、使用者に機器の作動状態に関する情報などを表示し、使用者がデータや命令を入力するためのタッチスクリーン９２とを備えて構成される。図面を参照すると、１つの回路基板９１が前記ボディ１１の下部空間に収容されて装着された実施例が図示されているが、これは適切な個数として形成されて１つの空間や複数の空間に分離して配置されてもよい。前記タッチスクリーン９２は、使用者が容易に視認でき、手で容易にタッチできる位置に配置されることが好ましく、図面には前記タッチスクリーン９２が前記ボディ１１の排出空間１４の下部底面に装着された実施例が示されている。
【００４８】
前記ボディ１１の下部後方には電源スイッチ９３と電源端子９４が配置されて前記回路基板９１及びその他の構成に電源を供給するように構成される。
【００４９】
前述したように、前記制御手段９０は、手動モードや自動モードが選択されると、それに従って複数のカートリッジ３０のうちの少なくとも１つ以上の化粧品が排出されるように、前記マガジン回転駆動手段４０と前記ポンプ加圧駆動手段５０の作動を制御する。
【００５０】
また、前記制御手段９０は、前記ボディ１１の内部にあるカートリッジ３０に入っている化粧品の周囲の温度を温度センサによりセンシングし、それに従って前記冷却手段８０の作動を制御する。
【００５１】
図１１を参照すると、使用者が前記タッチスクリーン９２により手動モードを選択し、所望の化粧品の使用のために特定カートリッジ３０の番号を選択し、排出量などの情報を入力すると、前記制御手段９０は、選択された当該カートリッジ３０の排出口３２が排出ホール１３２に合わせられるように前記マガジン回転駆動手段４０の作動を制御する。前記マガジン回転駆動手段４０の作動によりカートリッジマガジン２０が回転しながら、前記カートリッジ認識手段６０は選択された当該カートリッジ３０を認識し、その認識された情報に応じて前記制御手段９０は当該カートリッジ３０の排出口３２が排出ホール１３２に合わせられた状態でマガジン回転駆動手段４０の駆動を停止させる。前記のように、当該カートリッジ３０が排出位置に位置した状態で使用者が手を排出空間１４の内部に入れると、手感知センサ７１がこれを感知し、その感知が行われると、前記制御手段９０は、前記ポンプ加圧駆動手段５０を作動させてカートリッジ３０を押圧して化粧品が排出空間１４の内部に進入している手に排出される。
【００５２】
同様に、使用者が前記タッチスクリーン９２により自動モードを選択した状態では、使用者が別に備えられた肌診断器２で皮膚状態を測定し、直ちに前記化粧品ディスペンサー１に送信して、前記化粧品ディスペンサー１により化粧品の処方を行うか、測定された皮膚状態に応じた化粧品処方を前記化粧品ディスペンサーに送信してそれに応じて前記化粧品ディスペンサー１が特定のカートリッジ３０に入った化粧品を排出するように、前記制御手段９０がマガジン回転駆動手段４０及びポンプ加圧駆動手段５０の作動を制御する。
【００５３】
前記のような化粧品使用のための処方は、前記肌診断器２により測定された皮膚状態から算出されるだけでなく、使用者端末機３や管理サーバ４に格納されたデータから算出されて前記化粧品ディスペンサー１に送信されてそれに従って化粧品排出が行われるように制御されてもよい。
【００５４】
一方、本発明による化粧品ディスペンサー１は、前記カートリッジ認識手段６０によりカートリッジ３０が認識され、その認識されたカートリッジ３０をポンプ加圧駆動手段５０が加圧した回数を前記カム駆動カウントセンサ５４でカウントすることにより排出された化粧品の量又は残っている化粧品の量を算出することが可能となり、このような情報は前記制御手段９０のタッチスクリーン９２を介して使用者が確認できるように表示され、前記使用者端末機３や管理サーバ４に送信されてカートリッジ３０の管理が行われるようになる。
【００５５】
また、前記肌診断器２により測定された皮膚状態に関する情報、処方された化粧品の使用周期や回数などの化粧品の使用に関する情報は前記使用者端末機３や管理サーバ４に送信されて追加的な皮膚管理のためのデータとして活用できるようになる。
【００５６】
前述されて図面に示された化粧品ディスペンサーは、本発明を実施するための一実施例に過ぎず、本発明の技術的思想を限定するものと解釈されてはならない。本発明の保護範囲は、以下の請求の範囲に記載された事項によってのみ定められ、本発明の要旨を逸脱することなく改良及び変更された実施例は、本発明の属する技術分野において通常の知識を有する者に自明なものである限り、本発明の保護範囲に属するものと理解できるであろう。
【符号の説明】
【００５７】
１：化粧品ディスペンサー
１０：本体
１１：ボディ
１２：カバー
１３：マガジン装着部
１３１：軸柱
１３２：排出ホール
１４：排出空間
２０：カートリッジマガジン
２１：ドラム
２２：柱挿入孔
２３：カートリッジ収容部
２４：把持環
２４１：軸支持溝
２５：従動ギヤ
２６：インデックス枠
２６１ａ、２６２ａ、２６３ａ、２６４ａ、２６５ａ：認識インデックス
２６１ｂ、２６２ｂ、２６３ｂ、２６４ｂ、２６５ｂ：停止インデックス
３０：カートリッジ
３１：容器
３２：排出口
３３：ポンプ手段
４０：マガジン回転駆動手段
４１：マガジン駆動モータ
４２：電動ギヤ
５０：ポンプ加圧駆動手段
５１：ポンプ駆動モータ
５２：ポンプカム
５３：カム位置認識ディスク
５４：ディスク認識センサ
６０：カートリッジ認識手段
６１：インデックス認識センサ
７０：手認識手段
８０：冷却手段
８１：熱電素子
８２：放熱ピン
９０：制御手段
９１：回路基板
９２：タッチスクリーン
９３：電源スイッチ
９４：電源端子
２：肌診断器
３：使用者端末機
４：管理サーバ
【図１】
2021527457.tif 000003
【図２】
2021527457.tif 000004
【図３】
2021527457.tif 000005
【図４ａ】
2021527457.tif 000006
【図４ｂ】
2021527457.tif 000007
【図５】
2021527457.tif 000008
【図６】
2021527457.tif 000009
【図７ａ】
2021527457.tif 000010
【図７ｂ】
2021527457.tif 000011
【図８】
2021527457.tif 000012
【図９】
2021527457.tif 000013
【図１０】
2021527457.tif 000014
【図１１】
2021527457.tif 000015
【国際調査報告】
2021527457.tif 000016
2021527457.tif 000017
2021527457.tif 000018
2021527457.tif 000019